(57)【要約】      （修正有）【課題】煩わしい両手作業をなくして、洗濯物の吊り下げから取り込みまでの作業をすべて片手で行うことができる洗濯物の干し具を提供する。【解決手段】一端が基体２に固定され、他端に可動片と固定片からなる一対の挟持片が装着されているピンチ本体４が備えられ、可動片には固定片に向けて付勢する付勢手段が設けられ、固定片は、その先端が可動片の方向に向くように湾曲形成され、可動片はその先端が固定片の方向に向くように形成され、可動片と固定片は付勢手段によって、先端部近傍で相互に圧接されている洗濯物の干し具。【選択図】図１
2020151439.tif 000002
【特許請求の範囲】
【請求項１】
一端が基体に固定され、他端に可動片と固定片からなる一対の挟持片が装着されているピンチ本体が備えられ、前記可動片には前記固定片に向けて付勢する付勢手段が設けられ、前記固定片は、その先端が可動片の方向に向くように湾曲形成され、前記可動片はその先端が前記固定片の方向に向くように形成され、前記可動片と前記固定片は前記付勢手段によって、先端部近傍で相互に圧接されている洗濯物の干し具。
【請求項２】
前記可動片の先端部は前記固定片の先端部より外方に突出している請求項１記載の洗濯物の干し具。
【請求項３】
前記固定片の外側は、外方に膨らむ方向に湾曲しており、当該固定片の外側から洗濯物を押圧することにより、当該洗濯物は前記固定片の外側に沿って前記可動片の方向に滑動して前記可動片を前記付勢手段の付勢力に抗して前記両片の先端部を離間させ、前記洗濯物を前記可動片と前記固定片との間に位置せしめ、前記押圧力を解除することにより、前記洗濯物は前記付勢力によって前記可動片と前記固定片に弾性的に挟持される請求項１または２に記載の洗濯物の干し具。
【請求項４】
前記洗濯物を前記ピンチ本体の延在方向と同方向の外方に引っ張ることにより、前記可動片は前記固定片から離間する方向に移動し、前記洗濯物は前記ピンチ本体から解放される請求項３記載の洗濯物の干し具。
【請求項５】
前記ピンチ本体の一端には軸部が形成され、当該軸部が前記基体に形成された貫通孔に着脱可能に挿入固定されている請求項１ないし請求４のいずれかに記載の洗濯物の干し具。
【請求項６】
前記貫通孔の軸線方向と直交する方向の断面は矩形であり、前記軸部の軸線方向と直交する方向の断面も矩形である請求項５記載の洗濯物の干し具。
【請求項７】
前記貫通孔の軸線方向と直交する方向の断面は矩形であり、前記軸部の軸線方向と直交する方向の断面は円形である請求項５記載の洗濯物の干し具。
【発明の詳細な説明】
【技術分野】
【０００１】  本発明は、洗濯物の干し具に関するものである。
【背景技術】
【０００２】  一般的な洗濯物の干し具としては、物干し竿に吊り下げられた物干し具から吊下されたピンチに洗濯物を挟み込んで干すことが多い。前記方法で物干し作業を行うには片手でピンチの端部を持ってピンチの挟持部を開口させて、その開口部に他方の手で洗濯物を挟み込むのが通常の作業である。
また乾いた洗濯物を取り込む際には、干す時と同様にピンチを扱う手と洗濯物を持つ他方の手を使う煩わしい両手作業となる。
（特許文献１参照）物干し具においては、一対のピンチ片部を備えて洗濯物を下から上方へ押し上げてピンチに挟み込むものが公開されているが、デリケートな繊維の物や紐状の物を干すには片手ではその作業は困難である。また、洗濯物を取り込む際にはピンチの端部を押圧して挟持部の洗濯物を開放する必要がある。洗濯物を持って直接下方に引き取ることは洗濯物を傷めるかピンチを損傷することになる。【０００３】  他に（特許文献２参照）ピンチ及び吊具においても片手で洗濯物を着脱するには、ピンチが吊り下げられた不安定な状態での片手着脱作業は困難である。【０００４】（特許文献３参照）片手着脱洗濯ピンチでは構造上ピンチそのものを強固に固定しなければ、ピンチにかかる突き上げ力及び引き下げ力に耐える強度が必要となる。
前記ピンチを吊下げた状態では、片手で洗濯物を着脱するのは困難である。【０００５】  洗濯物を物干しハンガー等の干し具を使用して干すにいたっては、数々の形状のピンチ類が知られているが、洗濯物やピンチを損傷させずに片手で着脱するにはピンチの構造が複雑であり高価なものになる。
【先行技術文献】
【特許文献】
【０００６】
【特許文献１】特開２０１７−２０９２９４号公報
【特許文献２】特開２０１１−２１２４３５号公報
【特許文献３】特開２００８−２８９６０７号公報
【発明の概要】
【発明が解決しようとする課題】
【０００７】  上述した公知の従来技術にあっては、両手が自由に使える状態であれば問題なく物干し作業できるが、片手が使用できない状態では従来型のピンチでは片手での物干し作業が困難である。洗濯物一品毎に、ピンチの端部を押圧して洗濯物を挟み込む両手作業は非常に煩わしいものである。【０００８】  本発明は、このような課題を解決するためになされたもので、一般的な主婦が簡単な動作で物干し具のピンチに洗濯物を吊掛けたり、取り込こみを簡単な片手作業で迅速に行えるようにした洗濯物の干し具を提供することを目的とする。
【課題を解決するための手段】
【０００９】  第１発明において、一端が基体に固定され、他端に可動片と固定片からなる一対の挟持片が装着されているピンチ本体が備えられ、前記可動片には前記固定片に向けて付勢する付勢手段が設けられ、前記固定片は、その先端が可動片の方向に向くように湾曲形成され、前記可動片はその先端が前記固定片の方向に向くように形成され、前記可動片と前記固定片は前記付勢手段によって、先端部近傍で相互に圧接されている洗濯物の干し具。【００１０】  第２発明においては、前記可動片の先端部は前記固定片の先端部より外方に突出している請求項１記載の洗濯物の干し具。【００１１】  第３発明においては、前記固定片の外側は、外方に膨らむ方向に湾曲しており、当該固定片の外側から洗濯物を押圧することにより、当該洗濯物は前記固定片の外側に沿って前記可動片の方向に滑動して前記可動片を前記付勢手段の付勢力に抗して前記両片の先端部を離間させ、前記洗濯物を前記可動片と前記固定片との間に位置せしめ、前記押圧力を解除することにより、前記洗濯物は前記付勢力によって前記可動片と前記固定片に弾性的に挟持される請求項１または２に記載の洗濯物の干し具。【００１２】  第４発明においては、前記洗濯物を前記ピンチ本体の延在方向と同方向の外方に引っ張ることにより、前記可動片は前記固定片から離間する方向に移動し、前記洗濯物は前記ピンチ本体から解放される請求項３記載の洗濯物の干し具。【００１３】  第５発明においては、前記ピンチ本体の一端には軸部が形成され、当該軸部が前記基体に形成された貫通孔に着脱可能に挿入固定されている請求項１ないし請求４のいずれかに記載の洗濯物の干し具。【００１４】  第６発明においては、前記貫通孔の軸線方向と直交する方向の断面は矩形であり、前記軸部の軸線方向と直交する方向の断面も矩形である請求項５記載の洗濯物の干し具。【００１５】  第７発明においては、前記貫通孔の軸線方向と直交する方向の断面は矩形であり、前記軸部の軸線方向と直交する方向の断面は円形である請求項５記載の洗濯物の干し具。【００１６】  上記手段を達成するために本発明は次のような構成としている。
一端が基体２に固定され、他端に可動片６と固定片７からなる一対の挟持片８が装着されているピンチ本体４が備えられ、前記可動片６には前記固定片７に向けて付勢する付勢手段１１が設けられ、前記固定片７は、その先端が可動片６の方向に向くように湾曲形成され、前記可動片６はその先端が前記固定片７の方向に向くように形成され、前記可動片６と前記固定片７は前記付勢手段１１によって、先端部９近傍で相互に圧接されている。【００１７】  可動片６の先端部９は前記固定片７の先端部９より外方に突出している。【００１８】  固定片７の外側は、外方に膨らむ方向に湾曲しており、当該固定片７の外側から洗濯物を押圧することにより、当該洗濯物は前記固定片７の外側に沿って前記可動片６の方向に滑動して前記可動片６を前記付勢手段の付勢力に抗して前記両片の先端部９を離間させ、前記洗濯物を前記可動片６と前記固定片７との間に位置せしめ、前記押圧力を解除することにより、前記洗濯物は前記付勢力によって前記可動片６と前記固定片７に弾性的に挟持される。【００１９】  前記洗濯物を前記ピンチ本体４の延在方向と同方向の外方に引っ張ることにより、前記可動片６は前記固定片７から離間する方向に移動し、前記洗濯物は前記ピンチ本体４から解放される。【００２０】  前記ピンチ本体４の一端には軸部が形成され、当該軸部が前記基体に形成された貫通孔３に着脱可能に挿入固定されている。【００２１】  前記貫通孔３の軸線方向と直交する方向の断面は矩形であり、前記軸部の軸線方向と直交する方向の断面も矩形１５である。【００２２】  前記貫通孔３の軸線方向と直交する方向の断面は矩形であり、前記軸部の軸線方向と直交する方向の断面は円形１４である。【００２３】  実施例の付勢手段は輪状の押しバネ１１であるが、可動片６と固定片７の間にＶ字形状の板バネ又はコイルバネに置換しても同様の作用効果は得られる。
【発明の効果】
【００２４】  本発明を使用することにより、片手が使用できない状態であっても洗濯物の着脱が容易にできるために、従来型のピンチで行っていた煩わしい両手作業から解放されるばかりでなく迅速な作業ができる。
【図面の簡単な説明】
【００２５】
【図１】本発明の実施形態を示す斜視図である。
【図２】ピンチ正面図である。
【図３】ピンチの左側面図である。
【図４】ピンチの右側面図である。
【図５】基体の貫通孔に挿着するピンチの正面図である。
【図６】基体の貫通孔に挿着するピンチの左側面図である。
【図７】基体の貫通孔に挿着するピンチの右側面図である。
【図８】基体の貫通孔に円形軸を軸着して回転滑動するピンチの側面図である。
【図９】基体の貫通孔に円形軸を軸着して回転滑動するピンチの断面図である。
【図１０】基体の貫通孔に矩形軸を挿入して軸止するピンチの側面図である。
【図１１】基体の貫通孔に矩形軸を挿入して軸止するピンチの断面図である。
【発明を実施するための形態】
【００２６】  本発明を図示の実施例に基づいて説明する。
図１は実施例で洗濯物の物干し具の斜視図である。
本図に示す洗濯物の物干し具は基体に固着されたものである。
【００２７】  図２に示す固定片７に洗濯物を押し付けることにより、その洗濯物は固定片７が有する外方に膨らむ湾曲線沿って下方に誘導され先端部９が押し下げられることによって両片の先端部を離間させて洗濯物を挟持させる。
【００２８】  紐状の洗濯物は上記固定片７と可動片６との間にできた離間部から挟持片８を通過して、空間１０に誘導されて空間１０に収まる。
挟持片８は洗濯物が通過し易くするために空間１０側に山型のなだらかな曲線を持たせて、洗濯物が挟持片８に引っ掛かることを防ぐ構造である。
【００２９】  乾いた洗濯物を取り込む際には、吊り下げられた洗濯物を直接手に持ち下方に引くことにより可動片６と固定片７は離間し洗濯物は開放されて片手で取り込むことができる。
【００３０】  薄物やデリケートな洗濯物は直接下方に引かずに、洗濯物を掴んだ残りの手指で可動片６の先端部９を押し下げ上記両片を離間させることにより、容易に乾いた洗濯物を片手で取り込むことができる。
【符号の説明】
【００３１】１  竿バサミ
２  基体
３  貫通孔
４  ピンチ本体
５  側板
６  可動片
７  固定片
８  挟持片
９  先端部
１０  空間
１１  押しバネ
１２  軸ピン
１３  洗濯物
１４  円形軸
１５  矩形軸
【図１】
2020151439.tif 000003
【図２】
2020151439.tif 000004
【図３】
2020151439.tif 000005
【図４】
2020151439.tif 000006
【図５】
2020151439.tif 000007
【図６】
2020151439.tif 000008
【図７】
2020151439.tif 000009
【図８】
2020151439.tif 000010
【図９】
2020151439.tif 000011
【図１０】
2020151439.tif 000012
【図１１】
2020151439.tif 000013
【手続補正書】
【提出日】令和1年9月28日(2019.9.28)
【手続補正１】
【補正対象書類名】特許請求の範囲
【補正対象項目名】全文
【補正方法】変更
【補正の内容】
【特許請求の範囲】
【請求項１】
一端が基体に固定され、他端に可動片と固定片からなる一対の挟持片が装着されているピンチ本体が備えられ、前記可動片には前記固定片に向けて付勢する付勢手段が設けられ、前記固定片は、その先端が可動片の方向に向くように湾曲形成され、前記可動片はその先端が前記固定片の方向に向くように形成され、前記可動片と前記固定片は前記付勢手段によって、先端部近傍で相互に圧接され、
前記固定片の外側は、外方に膨らむ方向に湾曲しており、当該固定片の外側から洗濯物を押圧することにより、当該洗濯物は前記固定片の外側に沿って前記可動片の方向に滑動して前記可動片を前記付勢手段の付勢力に抗して前記両片の先端部を離間させ、前記洗濯物を前記可動片と前記固定片との間に位置せしめ、前記押圧力を解除することにより、前記洗濯物は前記付勢力によって前記可動片と前記固定片に弾性的に挟持される洗濯物の干し具。
【請求項２】
前記洗濯物を前記ピンチ本体の延在方向と同方向の外方に引っ張ることにより、前記可動片は前記固定片から離間する方向に移動し、前記洗濯物は前記ピンチ本体から解放される請求項１記載の洗濯物の干し具。
【請求項３】
前記ピンチ本体の一端には軸部が形成され、当該軸部が前記基体に形成された貫通孔に着脱可能に挿入固定されている請求項１もしくは２に記載の洗濯物の干し具。
【請求項４】
前記貫通孔の軸線方向と直交する方向の断面は矩形であり、前記軸部の軸線方向と直交する方向の断面も矩形である請求項３記載の洗濯物の干し具。
【請求項５】
前記貫通孔の軸線方向と直交する方向の断面は矩形であり、前記軸部の軸線方向と直交する方向の断面は円形である請求項３記載の洗濯物の干し具。